(57)【特許請求の範囲】
【請求項１】
ヘッドボックス、下端板、複数のスラット、スラット角度調整機構、第一引張ユニットおよび第二引張ユニットを備え、
複数の前記スラットは、前記ヘッドボックスと前記下端板との間に間隔を置いて配置され、
前記スラット角度調整機構は、二つのブラケット、第一ローラー、第二ローラー、伝動軸および二つのラダーコードを有し、二つの前記ブラケットは前記ヘッドボックス内の左右両端に固定され、前記第一ローラーおよび前記第二ローラーはそれぞれ別の一つの前記ブラケットに回転可能に装着され、前記伝動軸は前記第一ローラーおよび前記第二ローラーを連結し、第一位置および第二位置の間に前記第一ローラーおよび前記第二ローラーを同調回転させ、二つの前記ラダーコードはそれぞれ前側経線、後側経線および複数の緯線を有し、前記前側経線および前記後側経線は複数の前記スラットの前後両側に位置付けられ、それぞれ先端部が前記第一ローラーおよび前記第二ローラーに連結され、末端部が前記下端板に連結され、複数の前記緯線はそれぞれ前記前側経線および前記後側経線の間に連結されて一つの前記スラットの底面を支え、
前記第一ローラーおよび前記第二ローラーが前記第一位置に据えられる際、二つの前記ラダーコードは前記第一ローラーおよび前記第二ローラーによって引っ張られ、複数の前記スラットを開放状態に維持し、
前記第一ローラーおよび前記第二ローラーが前記第二位置に据えられる際、二つの前記ラダーコードは前記第一ローラーおよび前記第二ローラーによって引っ張られると同時に複数の前記スラットを傾けて閉合状態に維持し、
前記第一引張ユニットは、複数の前記スラットの前側にぶら下がり、先端部が前記第一ローラーに連結されることによって前記第二ローラーを前記第一ローラーとともに前記第一位置から前記第二位置へ回転させ、
前記第二引張ユニットは、複数の前記スラットの前側にぶら下がり、先端部が前記第二ローラーに連結されことによって前記第一ローラーを前記第二ローラーとともに前記第二位置から前記第一位置へ回転させることを特徴とするブラインド。
【請求項２】
前記第一引張ユニットおよび前記第二引張ユニットはベルトから製作されることを特徴とする請求項１に記載のブラインド。
【請求項３】
前記第一引張ユニットは前記第一ローラーの頂面および前記第一ローラーの後側面を覆って前記第一ローラーの底面に連結され、
前記第二引張ユニットは前記第二ローラーの底面および前記第二ローラーの後側面を覆って前記第二ローラーの頂面に連結されることを特徴とする請求項１または請求項２に記載のブラインド。
【請求項４】
前記ヘッドボックスは左右両端に穿孔を別々に有し、
前記第一引張ユニットおよび前記第二引張ユニットは一つの前記穿孔を別々に貫通することを特徴とする請求項１に記載のブラインド。
【請求項５】
前記第一引張ユニットは先端部に第一スロットを有し、
一つの前記ラダーコードの前記前側経線および前記後側経線の一部分は前記第一スロットに格納されることを特徴とする請求項１に記載のブラインド。
【請求項６】
前記第二引張ユニットは先端部に第二スロットを有し、
一つの前記ラダーコードの前記前側経線および前記後側経線の一部分は前記第二スロットに格納されることを特徴とする請求項１に記載のブラインド。
【発明の詳細な説明】
【技術分野】
【０００１】
本発明は、窓の日よけに関し、詳しくはスラットの角度が容易に調整できるブラインドに関するものである。
【背景技術】
【０００２】
室内に入り込む光線の透過量を調整する際、特許文献１および特許文献２などにより掲示された周知のスラット角度調整機構をブラインドに装着すれば、スラットの位置および角度を制御し、光線の透過量を調整することができる。詳しく言えば周知のスラット角度調整機構はハウジング、ウォームおよびウォームホイールから構成される。ハウジングはヘッドボックス内に装着される。ウォームはハウジング内に回転可能に装着される。ウォームホイールは一端がハウジング内のウォームと噛み合い、別の一端がハウジングからヘッドボックスに突出し、回転桿に引っ掛かるため、ウォームホイールは回転桿によって駆動されるとともにウォームを回転させることができる。続いてウォームは別の伝動部材を介してスラットの角度を調整することができる。
【０００３】
製品を出荷する前にウォームおよびウォームホイールはすでにハウジング内に装着されたため、パッケージの過程においてヘッドボックスに突出したウォームホイールの一端が押し詰められて一番上のスラットに接触し、スラットを変形または損壊させることや、運送中にスラットがウォームホイールの一端に突き当たって断裂することが起こりやすい。従って、上述した構造には改善の余地がある。
【先行技術文献】
【特許文献】
【０００４】
【特許文献１】ＴＷ Ｍ５６９７８７号公報
【特許文献２】ＴＷ Ｍ５５１６５１号公報
【発明の概要】
【発明が解決しようとする課題】
【０００５】
本発明は、構造および操作を簡単化し、パッケージまたは運送中にスラットの損壊を避けることができるブラインドを提供することを主な目的とする。
【課題を解決するための手段】
【０００６】
上述した課題を解決するため、ブラインドはヘッドボックス、下端板、複数のスラット、スラット角度調整機構、第一引張ユニットおよび第二引張ユニットを備える。スラット角度調整機構は二つのブラケット、第一ローラー、第二ローラー、伝動軸および二つのラダーコードを有する。二つのブラケットはヘッドボックス内の左右両端に固定される。第一ローラーは一つのブラケットに回転可能に装着される。第二ローラーは別の一つのブラケットに回転可能に装着される。伝動軸は第一ローラーおよび第二ローラーを連結し、第一位置および第二位置の間に第一ローラーおよび第二ローラーを同調回転させる。二つのラダーコードはそれぞれ前側経線、後側経線および複数の緯線を有する。前側経線および後側経線は複数のスラットの前後両側に位置付けられ、それぞれ先端部が第一ローラーおよび第二ローラーに連結され、末端部が下端板に連結される。複数の緯線はそれぞれ前側経線および後側経線の間に連結されて一つのスラットの底面を支える。第一ローラーおよび第二ローラーが第一位置に据えられる際、二つのラダーコードは第一ローラーおよび第二ローラーによって引っ張られ、複数のスラットを開放状態に維持する。第一ローラーおよび第二ローラーが第二位置に据えられる際、二つのラダーコードは第一ローラーおよび第二ローラーによって引っ張られると同時に複数のスラットを傾けて閉合状態に維持する。第一引張ユニットは複数のスラットの前側にぶら下がり、先端部が第一ローラーに連結される。第二引張ユニットは複数のスラットの前側にぶら下がり、先端部が第二ローラーに連結される。
【０００７】
複数のスラットを閉合させる際、第一引張ユニットを下へ引っ張って第一ローラーを回転させれば第一ローラーは伝動軸を介して第二ローラーを連動させ、第一位置から第二位置まで同調回転させる。回転中の第一ローラーおよび第二ローラーは二つのラダーコードを介して複数のスラットを閉合させる。そののち、複数のスラットを開ける際、第二引張ユニットを下へ引っ張って第二ローラーを回転させれば第二ローラーは伝動軸を介して第一ローラーを連動させ、第二位置から第一位置に同調復原させる。回転中の第一ローラーおよび第二ローラーは二つのラダーコードを介して複数のスラットを開放する。第一引張ユニットおよび第二引張ユニットは複数のスラットの前側にぶら下がるように装着されるため、製品のパッケージ作業が完了した後、複数のスラットは第一引張ユニットおよび第二引張ユニットに押し詰められることが発生しない。つまり、運送中の複数のスラットを変形または損壊させるという問題を解決することができる。
【０００８】
比較的好ましい場合、第一引張ユニットおよび第二引張ユニットはベルトである。ベルトの材質は皮革に限らず、布生地または弾性のある材料であってもよい。
【０００９】
比較的好ましい場合、第一引張ユニットは第一ローラーの頂面から第一ローラーの後側面を覆って第一ローラーの底面に連結されるため、第一引張ユニットが第一ローラーを引っ張れば、第一ローラーは元の位置に安定したうえで上から下へ回転する。第二引張ユニットは第二ローラーの底面から第二ローラーの後側面を覆って第二ローラーの頂面に連結されるため、第二引張ユニットが第二ローラーを引っ張れば、第一ローラーは元の位置に安定したうえで下から上へ回転する。
【００１０】
比較的好ましい場合、ヘッドボックスは左右両端に穿孔を別々に有する。第一引張ユニットおよび第二引張ユニットは相互に干渉せず一つの穿孔を別々に貫通する。
【００１１】
比較的好ましい場合、第一引張ユニットは先端部に第一スロットを有する。一つのラダーコードの前側経線および後側経線の一部分は相互に干渉せず第一スロットに格納される。
【００１２】
比較的好ましい場合、第二引張ユニットは先端部に第二スロットを有する。一つのラダーコードの前側経線および後側経線の一部分は相互に干渉せず第二スロットに格納される。
【００１３】
本発明によるスラットの角度が容易に調整できるブラインドの詳細な構造、特徴、組み立てまたは使用方法は、以下の実施形態の詳細な説明を通して明確にする。また、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【００１４】
【図１】本発明の一実施形態によるブラインドを示す斜視図である。
【図２】本発明の一実施形態によるブラインドの一部分を示す斜視図である。
【図３】本発明の一実施形態によるブラインドにおいて第一引張ユニットおよび第一ローラーを組み合わせた構造を示す斜視図である。
【図４】本発明の一実施形態によるブラインドのスラット角度調整機構および第一引張ユニットの構造を示す分解斜視図の一部分である。
【図５】本発明の一実施形態によるブラインドにおいて第二引張ユニットおよび第二ローラーを組み合わせた構造を示す斜視図である。
【図６】本発明の一実施形態によるブラインドのスラット角度調整機構および第二引張ユニットの構造を示す分解斜視図の一部分である。
【図７】本発明の一実施形態によるブラインドにおいて第一ローラーが第一位置に据えられた状態を側面から見た断面図の一部分である。
【図８】本発明の一実施形態によるブラインドにおいて第一引張ユニットが下へ引っ張られた状態を側面から見た断面図の一部分である。
【図９】本発明の一実施形態によるブラインドにおいて第二ローラーが第一位置に据えられた状態を側面から見た断面図の一部分である。
【図１０】本発明の一実施形態によるブラインドにおいて伝動軸が第二ローラーを第一ローラーとともに回転させる状態を側面から見た断面図の一部分である。
【図１１】本発明の一実施形態によるブラインドにおいて第二引張ユニットが下へ引っ張られた状態を側面から見た断面図の一部分である。
【図１２】本発明の一実施形態によるブラインドにおいて伝動軸が第一ローラーを第二ローラーとともに回転させる状態を側面から見た断面図の一部分である。
【発明を実施するための形態】
【００１５】
以下、本発明によるスラットの角度が容易に調整できるブラインドを図面に基づいて説明する。明細書および図面において、方向性用語は図面の製作に基づいて表現される。同じ符号は同じ部品または類似した部品のまたはその構造特徴を示す。
【００１６】
（一実施形態）
図１および図２に示すように、本発明の一実施形態によるブラインド１０は下端板２０、ヘッドボックス３０、数が限られない複数のスラット４０、スラット角度調整機構５０、第一引張ユニット８０および第二引張ユニット８４を備える。
【００１７】
図３および図５に示すように、ヘッドボックス３０は底面３１、前側面３２および後側面３３を有する。底面３１は左右両端に一つの穿孔３４および二つの嵌合孔３５（図７参照）を別々に有する。前側面３２は底部が底面３１の前側辺部に垂直に連結される。後側面３３は底部が底面３１の後側辺部に垂直に連結される。
【００１８】
複数のスラット４０はヘッドボックス３０と下端板２０との間に一定の間隔を置いて配置される。図３および図５に示すように、複数のスラット４０はそれぞれ左右両端にスリット４２を別々に有する。二つの昇降コード１２は複数のスラット４０の左右両端のスリット４２を別々に貫通し、それぞれ先端部がロープリール１４に連結され、末端部が下端板２０に連結される。ロープリール１４は周知のものであるため、詳細な説明を省略する。ロープリール１４によって二つの昇降コード１２を巻き取って下端板２０を上昇させる際、下端板２０が上方のヘッドボックス３０へ移動するのに伴ってすべてのスラット４０はまとまって重なることになる。
【００１９】
スラット角度調整機構５０は二つのブラケット５２、第一ローラー５８、第二ローラー６０、伝動軸６２および二つのラダーコード６６を有する。
【００２０】
図２、図４および図６に示すように、二つのブラケット５２はヘッドボックス３０の左右両端に配置され、それぞれ底面５４および二つの直立壁５６を有する。底面５４は二つの嵌合部５４２と、二つの嵌合部５４２を別々に貫通する底穴５４４とを有する。二つの直立壁５６は底面５４の左右両側辺部に垂直に連結され、それぞれ開口部が上向きの回転溝５６２を有する。図７および図９に示すように、二つのブラケット５２は前後逆に装着され、かつそれぞれの底面５４の二つの嵌合部５４２がヘッドボックス３０の底面３１の二つの嵌合孔３５に嵌まり込む。
【００２１】
第一ローラー５８および第二ローラー６０は上下逆に二つのブラケット５２に別々に装着され、構造が同じである。図４に示すように、第一ローラー５８は第一軸部５８２と、第一軸部５８２を貫通する第一多辺形軸孔（例えば図中の六角穴）５８４とを有する。第一ローラー５８は第一軸部５８２によって一つのブラケット５２の二つの回転溝５６２に回転可能に装着される。図６に示すように、第二ローラー６０は第二軸部６０２と、第二軸部６０２を貫通する第二多辺形軸孔（例えば図中の六角穴）６０４とを有する。第二ローラー６０は第二軸部６０２によって別の一つのブラケット５２の二つの回転溝５６２に回転可能に装着される。
【００２２】
図２から図６に示すように、伝動軸６２は断面が多辺形（例えば六角穴）である。伝動軸６２は左右両端が第一ローラー５８の第一多辺形孔５８４および第二ローラー６０の第二多辺形孔６０４を別々に貫通し、かつ左右両端に別々嵌まるストッパーリング６４を有する。二つのストッパーリング６４は第一ローラー５８および第二ローラー６０から伝動軸６２が逸脱することを抑制するため、第一ローラー５８および第二ローラー６０は伝動軸６２によって同調回転することができる。
【００２３】
二つのラダーコード６６はそれぞれ前側経線６８と、後側経線７０と、複数の前側経線６８および後側経線７０を連結する緯線７２とを有する。図３から図５に示すように、二つのラダーコード６６の前側経線６８および後側経線７０は複数のスラット４０の前後両側に隣接し、それぞれ末端部が下端板２０に連結される。一つのラダーコード６６の前側経線６８および後側経線７０は先端部が一つのブラケット５２の底面５４の底穴５４４を貫通して第一ローラー５８の頂面に連結される。別の一つのラダーコード６６の前側経線６８および後側経線７０は先端部が別の一つのブラケット５２の底面５４の底穴５４４を貫通して第二ローラー６０の底面に連結される。二つのラダーコード６６の複数の緯線７２は一つのスラット４０の底面を別々に支える。
【００２４】
図１および図２に示すように、スラット角度調整機構５０は実際のニーズ（例えば全体構造のサイズ）に応じて一つのブラケット５２、第三ローラー７４および一つのラダーコード６６がヘッドボックス３０の中間位置に増設されてもよい。第三ローラー７４は第一ローラー５８および第二ローラー６０と一緒に同じ伝動軸６２に装着されると同時に三つ目のラダーコード６６と連結される。第三ローラー７４、第一ローラー５８および第二ローラー６０は装着方法が同じであり、三つ目のラダーコード６６および二つの前記ラダーコード６６は装着方法が同じであるため、詳細な説明を省略する。第一ローラー５８、第二ローラー６０、第三ローラー７４および三つのラダーコード６６を組み合わせて使用すれば、複数のスラット４０が傾いて回転する際の安定性を向上させることができる。
【００２５】
第一引張ユニット８０はベルトまたは紐である。本実施形態において、第一引張ユニット８０はベルトから製作される。ベルトの材質は皮革に限らず、布生地または弾性のある材料であってもよい。図２から図４に示すように、第一引張ユニット８０は複数のスラット４０の前側にぶら下がるように装着され、先端部がヘッドボックス３０の左側の穿孔３４を貫通して第一ローラー５８の頂面および第一ローラー５８の後側面を覆って第一ローラー５８の底面に接着剤で固定される。第一引張ユニット８０は先端部に第一スロット８２を有する。左側のラダーコード６６の前側経線６８および後側経線７０は一部分が相互に干渉せず第一スロット８２に格納され、かつ第一ローラー５８に固定されるため、作動に影響を与えることがない。
【００２６】
第二引張ユニット８４はベルトまたは紐である。本実施形態において、第二引張ユニット８４はベルトから製作される。ベルトの材質は皮革に限らず、布生地または弾性のある材料であってもよい。図５および図６に示すように、第二引張ユニット８４は複数のスラット４０の前側にぶら下がるように装着され、先端部がヘッドボックス３０の右側の穿孔３４を貫通して第二ローラー６０の底面および第二ローラー６０の後側面を覆って第二ローラー６０の頂面に接着剤で固定される。第二引張ユニット８４は先端部に第二スロット８６を有する。右側のラダーコード６６の前側経線６８および後側経線７０は一部分が相互に干渉せず第二スロット８６に格納され、かつ第二ローラー６０に固定されるため、作動に影響を与えることがない。
【００２７】
複数のスラット４０を閉合させる際、第一引張ユニット８０を下へ引っ張って第一ローラー５８を傾けて第一位置Ｐ１（図７参照）から第二位置Ｐ２（図８参照）へ回転させればよい。詳しく言えば、第一ローラー５８および第二ローラー６０は伝動軸６２によって同調回転するため、第二ローラー６０は傾いて第一位置Ｐ１（図９参照）から第二位置Ｐ２（図１０参照）まで回転すると同時に一部分の第二引張ユニット８４を巻き取る。また第一ローラー５８および第二ローラー６０は同調回転しながら二つのラダーコード６６を引っ張るため、複数のスラット４０は二つのラダーコード６６の作動に伴って傾いて回転し、閉合状態になる。
【００２８】
複数のスラット４０を開ける際、第二引張ユニット８４を下へ引っ張って第二ローラー６０を逆方向に傾けて第二位置Ｐ２（図１１参照）から第一位置Ｐ１（図９参照）へ回転させればよい。詳しく言えば、第一ローラー５８および第二ローラー６０は伝動軸６２によって同調回転するため、第一ローラー５８は逆方向に傾いて第二位置Ｐ２（図１２参照）から第一位置Ｐ１（図７参照）まで回転すると同時に一部分の第一引張ユニット８０を巻き取る。また第一ローラー５８および第二ローラー６０は同調回転しながら二つのラダーコード６６を引っ張るため、複数のスラット４０は二つのラダーコード６６の作動に伴って回転し、開放状態になる。
【００２９】
上述をまとめてみると、ブラインド１０は第一引張ユニット８０によって複数の開放状態のスラット４０を閉合させ、第二引張ユニット８４によって複数の閉合状態のスラット４０を開放するため、操作が非常に簡単である。ブラインド１０において、第一引張ユニット８０および第二引張ユニット８４は軟性材料から製作され、かつ複数のスラット４０の前側にぶら下がって接するように装着されるため、製品のパッケージ作業が完了した後、複数のスラット４０は第一引張ユニット８０および第二引張ユニット８４に押し詰められることが発生しない。つまり、運送中の複数のスラット４０を変形または損壊させるという問題を解決することができる。
【符号の説明】
【００３０】
１０：ブラインド、  
１２：昇降コード、  
１４：ロープリール、  
２０：下端板、  
３０：ヘッドボックス、  
３１：底面、  
３２：前側面、  
３３：後側面、  
３４：穿孔、  
３５：嵌合孔、  
４０：スラット、  
４２：スリット、  
５０：スラット角度調整機構、  
５２：ブラケット、  
５４：底面、  
５４２：嵌合部、  
５４４：底穴、  
５６：直立壁、  
５６２：回転溝、  
５８：第一ローラー、  
５８２：第一軸部、  
５８４：第一多辺形軸孔、  
６０：第二ローラー、  
６０２：第一軸部、  
６０４：第一多辺形軸孔、  
６２：伝動軸、  
６４：ストッパーリング、  
６６：ラダーコード、  
６８：前側経線、  
７０：後側経線、  
７２：緯線、  
７４：第三ローラー、  
８０：第一引張ユニット、  
８２：第一スロット  
８４：第二引張ユニット、  
８６：第二スロット、  
Ｐ１：第一位置、  
Ｐ２：第二位置
【要約】
【課題】スラットの角度が容易に調整できるブラインドを提供する。
【解決手段】ブラインドはヘッドボックス、下端板、ヘッドボックスと下端板との間に配置された複数のスラット、ヘッドボックスの左右両端に別々に装着されたブラケット、二つのブラケット内に別々装着されたローラー、二つのローラーを連結して同調回転させる伝動軸、二つのローラーに別々に連結された第一引張ユニットおよび第二引張ユニットを備える。複数のスラットを閉合させる際、第一引張ユニットを下へ引っ張って一つのローラーを回転させれば、二つのローラーは第一位置から第二位置へ回転すると同時に二つのラダーコードを介して複数のスラットを閉合させる。複数のスラットを開ける際、第二引張ユニットを下へ引っ張って別の一つのローラーを回転させれば、二つのローラーは第二位置から第一位置へ回転し、復原すると同時に二つのラダーコードを介して複数のスラットを開ける。
【選択図】  図１【図１】
0006937881.tif 000002
【図２】
0006937881.tif 000003
【図３】
0006937881.tif 000004
【図４】
0006937881.tif 000005
【図５】
0006937881.tif 000006
【図６】
0006937881.tif 000007
【図７】
0006937881.tif 000008
【図８】
0006937881.tif 000009
【図９】
0006937881.tif 000010
【図１０】
0006937881.tif 000011
【図１１】
0006937881.tif 000012
【図１２】
0006937881.tif 000013